(57)【特許請求の範囲】
【請求項１】
自動的に掃除される電動モップの収納台が洗浄槽（５ａａ）を有する外部筐体（５ａ）を備える電動モップ用収納台を自動掃除する汚水排水システムであって、汚水排水システムは汚水排水弁（５ｃ）を含み、前記汚水排水弁（５ｃ）の出口端は前記外部筐体（５ａ）の外部に接続され、前記汚水排水弁（５ｃ）の進入端は前記洗浄槽（５ａａ）に接続され、前記汚水排水弁（５ｃ）は第一ラック（５ｅ）が設けられるスイッチを有し、前記汚水排水弁（５ｃ）にはダブルギア（５ｆ）及び第二ラック（５ｇ）が更に設置され、前記ダブルギア（５ｆ）は前記第一ラック（５ｅ）に噛合される外径が大きいギア部を有し、前記ダブルギア（５ｆ）は前記第二ラック（５ｇ）に噛合される外径が小さいギア部を有し、
前記第一ラック（５ｅ）は、前記汚水排水弁（５ｃ）の軸方向に沿って設置され、
前記第二ラック（５ｇ）及び前記第一ラック（５ｅ）は、相互に垂直になることを特徴とする電動モップ用収納台を自動掃除する汚水排水システム。
【請求項２】
前記汚水排水弁（５ｃ）には付属設置台が設置され、前記第一ラック（５ｅ）、前記第二ラック（５ｇ）、及び前記ダブルギア（５ｆ）は全て前記付属設置台に設置されることを特徴とする請求項１に記載の電動モップ用収納台を自動掃除する汚水排水システム。
【請求項３】
前記第二ラック（５ｇ）の上端にはキー（５ｄ）が連結されることを特徴とする請求項２に記載の電動モップ用収納台を自動掃除する汚水排水システム。
【請求項４】
前記汚水排水弁（５ｃ）の前記出口端は汚水排水管（５ｈ）に接続されることを特徴とする請求項１に記載の電動モップ用収納台を自動掃除する汚水排水システム。
【請求項５】
前記汚水排水弁（５ｃ）はバネ式逆止弁であることを特徴とする請求項１に記載の電動モップ用収納台を自動掃除する汚水排水システム。
【発明の詳細な説明】
【技術分野】
【０００１】
本発明は、モップに関し、より詳しくは、電動モップ用収納台を自動掃除する汚水排水システムに関する。
【背景技術】
【０００２】
モップは一般に普及する家庭用掃除用具であり、主に握り持つためのモップのハンドル及び掃除するためのモップヘッドを備える。科学技術の進歩に伴い、電動化されたものやスマート家電化されたモップも数多く登場している。
【０００３】
モップによる掃除効率はモップヘッドの掃除部に依存し、様々な設計の毛が採用されており、スポンジローラーを採用するものもある。
【発明の概要】
【発明が解決しようとする課題】
【０００４】
しかしながら、従来のモップヘッドは全て使用に関して共通する問題があり、それは床掃除が終わった後に前記モップヘッド及び掃除部をどのように洗浄するかという問題である。現在は手動で洗浄するものが多いが、これは操作が面倒で手も汚れるため不便であった。
【０００５】
そこで、本発明者は上記の欠点が改善可能と考え、鋭意検討を重ねた結果、合理的設計で上記の課題を効果的に改善する本発明の提案に至った。
【０００６】
上述の従来技術ではモップを手動で洗浄するものが多いため、その操作が面倒で手が汚れるという問題を鑑み、上記課題解決のため、本発明は、電動モップ用収納台を自動掃除する汚水排水システムを提供することを目的とする。すなわち、汚水弁により汚水が排水され、操作が簡単で便利になる。
【課題を解決するための手段】
【０００７】
上記課題を解決するために、本発明のある態様の電動モップ用収納台を自動掃除する汚水排水システムは、洗浄槽を有する外部筐体を備える。汚水排水システムは汚水排水弁を含み、前記汚水排水弁の排水端は前記外部筐体の外部に接続され、前記汚水排水弁の吸水端は前記洗浄槽に接続される。前記汚水排水弁は第一ラックが設けられるスイッチを有し、前記汚水排水弁にはダブルギア及び第二ラックが更に設置される。前記ダブルギアは前記第一ラックに噛合される外径が大きいギア部を有し、前記ダブルギアは前記第二ラックに噛合される外径が小さいギア部を有する。
本発明は洗浄槽内の汚水を排水するための汚水排水弁が設置され、且つギアラック構造が汚水排水弁専用のスイッチとして構造を駆動させて汚水排水弁を開かせ、汚水の排出を促す。これにより操作が簡単になり、好ましい効果が得られる。
【０００８】
好ましくは、前記汚水排水弁には付属設置台が設置され、前記第一ラック、第二ラック、及びダブルギアは全て前記付属設置台に設置される。
【０００９】
好ましくは、前記第一ラックは前記汚水排水弁の軸方向に沿って設置され、前記第二ラック及び前記第一ラックは相互に垂直になる。
【００１０】
好ましくは、前記第二ラックの上端にはキーが連結される。
【００１１】
好ましくは、前記汚水排水弁の排水端には汚水排水管が連結される。
【００１２】
好ましくは、前記汚水排水弁はバネ式逆止弁である。
【００１３】
好ましくは、前記洗浄槽には前記電動モップを載置するための定位型槽が内設される。
【００１４】
好ましくは、前記汚れ除去部材は排水用スクレーパーを備え、且つ前記排水用スクレーパーは前記定位型槽の辺縁に設置される。
【００１５】
好ましくは、前記洗浄槽は外部筐体の上部が下に向けて陥没することにより形成され、且つ前記外部筐体は自身の湾曲によりその下方に空洞が形成される。
【００１６】
好ましくは、前記洗浄槽の底面は傾斜面である。
【００１７】
本発明の詳しい構造または特徴については、後述の実施方式の詳細な説明において描写する。然しながら、本分野の技術者ならば、前記詳細な説明及び列挙する本発明の特定の実施例は本発明を説明するためのものにすぎず、本発明の特許請求の範囲を制限するものではない。
【図面の簡単な説明】
【００１８】
【図１】本発明の好ましい実施形態に係る電動モップを示す傾斜構成図である。
【図２】本発明の好ましい実施形態に係る電動モップを示す傾斜分解図である。
【図３】本発明の好ましい実施形態の一部傾斜分解図であって、モップヘッドの分解図を示す。
【図４】本発明の好ましい実施形態のクリーナースタンド部材を示す概略図である。
【図５】本発明の好ましい実施形態のクリーナースタンド部材を示す模式的に示した分解図である。
【図６】図４（Ｄ）の部分拡大概略図である。
【図７】本発明の好ましい実施形態のクリーナースタンド部材の汚水排水弁を示す概略図である。
【図８】本発明の好ましい実施形態に係るクリーナースタンド部材とモップヘッド部材を組み立てて設置される概略図である。
【図９】本発明の好ましい実施形態に係るクリーナースタンド部材とモップヘッド部材を組み立てて設置される他の概略図である。
【発明を実施するための形態】
【００１９】
以下、図面を参照しつつ、本発明に係る電動モップ用収納台を自動掃除する汚水排水システムについて具体的に説明する。なお、本発明は主に電動モップ及びウェット型電動モップに応用され、本分野の技術者ならば本実施方式の説明に用いる用語が応用分野を制限しない上位の表現に属することを理解できる。例えば、材料や形状の用語は描写内容が指す材料や形状に限定されず、位置の用語も設置、近接、連接、または隣接に限定されない。各部材の数量の用語である「１」は１つまたは１つ以上の複数の部材の数量を含む。本明細書の内容に記載する「上」、「下」、「内」、「外」、「頂」、「底」等の方向の形容詞は正常な使用方向を基準とした例示のための描写の用語であり、主張の範囲を制限するものではない。
【００２０】
自動掃除可能なモップは、ハンドル段部材１、上段ロッド部材２、及び下段ロッド部材３を有するモップのロッド部材と、モップヘッド部材４と、クリーナースタンド部材５と、を備える。モップヘッド部材４はモップのロッド部材の下端に設置され、クリーナースタンド部材５はモップヘッド部材４の載置及び洗浄に用いられる（図１及び図２参照）。 
【００２１】
モップヘッド部材４はモップヘッドケース４ａを有し、モップヘッドケース４ａには回転可能なクリーンローラー４ｂが設置される（図３、図４及び図５参照）。好ましくは、モップヘッドケース４ａにはクリーンローラー４ｂを駆動するためのモーターが内設され、モーターは伝動機構素子を介してクリーンローラー４ｂに接続される。好ましくは、伝動機構素子は、変速ギアセットと、伝動ベルトと、ローラー連接機構４ｄと、モーター４ｃと、を備え、変速ギアセット、伝動ベルト、及びローラー連接機構４ｄは順次連結される。ローラー連接機構４ｄはモップヘッドケース４ａに回転可能に設置され、クリーンローラー４ｂはローラー連接機構４ｄに装設される。好ましくは、ローラー連接機構４ｄの一端は伝動ベルトのプーリーに対応するように連結され、他端にはローラー連接機構４ｄが装設され、ローラー連接機構４ｄは軸受を介してモップヘッドケース４ａに装設される。
【００２２】
図４乃至図７に示されるように、クリーナースタンド部材５は外部筐体５ａを有し、外部筐体５ａの上表面には洗浄槽５ａａが形成される。洗浄槽５ａａにはモップを洗浄するための汚れ除去部材が内設され、外部筐体５ａには汚水を排水するための汚水排水システムが設置される。好ましくは、洗浄槽５ａａにはモップヘッドを載置するための定位型槽５ａｂが内設される。好ましくは、汚れ除去部材は排水用スクレーパー５ｂを備え、前記排水用スクレーパー５ｂは定位型槽５ａｂの辺縁に設置される。好ましくは、汚水排水システムは汚水排水弁５ｃを含み、汚水排水弁５ｃの吸水端は洗浄槽５ａａ内に接続され、汚水排水弁５ｃの排水端は外部筐体５ａの外部に接続される。外部筐体５ａには汚水排水弁５ｃを起動するためのキー５ｄが設置される。
【００２３】
本実施例ではクリーナースタンド部材５の具体的な構造形態を提供し、外部筐体５ａがクリーナースタンド部材５の主体であり、洗浄槽５ａａにはモップを洗浄するための水が容れられる。汚れ除去部材はモップのローラーに吸水された汚水を排水するために用いられる。具体的な実施では、洗浄槽５ａａ内の汚水の自然排水効果を実現するため、洗浄槽５ａａの底面が傾斜面として設けられ、汚水が自然に流動して排水される。外部筐体５ａは全体が一体成形され、図示されるように、洗浄槽５ａａは外部筐体５ａの上部の全板面が下に向けて陥没することにより形成され、対応するように、定位型槽５ａｂも外部筐体５ａが全体的に陥没することにより形成される。外部筐体５ａの主体の板面が湾曲成形されることによりその下方に空洞が自然に形成され、汚水排水システムの関連部材が設置される。
【００２４】
好ましくは、汚水排水システムは汚水排水弁５ｃを備え、汚水排水弁５ｃの吸水端は洗浄槽５ａａ内に接続され、汚水排水弁５ｃの排水端は外部筐体５ａの外部に接続される。好ましくは、外部筐体５ａには汚水排水弁５ｃを起動するためのキー５ｄが設置される。好ましくは、汚水排水弁５ｃのスイッチにはスイッチを起動するための第一ラック５ｅが設置され、汚水排水弁５ｃの弁体にはダブルギア５ｆ及び第二ラック５ｇが更に設置される。ダブルギア５ｆの外径が大きいギア部は第一ラック５ｅに噛合され、ダブルギア５ｆの外径が小さいギア部は第二ラック５ｇに噛合され、第二ラック５ｇはキー５ｄに連結される。好ましくは、キー５ｄと外部筐体５ａとの間にはキー５ｄをリセットするためのリセットばねが更に設置される。好ましくは、汚水排水弁５ｃの排水端には汚水排水管５ｈが連結され、汚水排水管５ｈは外部筐体５ａの外部に接続される。
【００２５】
汚水排水システムは洗浄槽５ａａ内の汚水を排水するために用いられ、具体的には、汚水排水弁５ｃにより制御され、汚水排水弁５ｃの一端が洗浄槽５ａａの内部に接続され、他端が外部筐体５ａの外部に接続され、汚水排水弁５ｃが開かれると汚水が排水され、汚水排水弁５ｃが閉められると汚水の排水が停止する。上述した実施例では、好ましい方法は、キー５ｄが下に向けて押圧されることにより第二ラック５ｇが駆動され、第二ラック５ｇがダブルギア５ｆを回転するように駆動させ、ダブルギア５ｆが第一ラック５ｅを移動するように駆動させる。第一ラック５ｅの移動により汚水排水弁５ｃのスイッチが開かれる。これを基礎とし、汚水排水弁５ｃとしてバネ式逆止弁が選択されてもよく、バネ式逆止弁自身のばねにより開弁の動作の復位が実現する。すなわち、キー５ｄに対する圧力が消失すると、バネ式逆止弁自身のばねの作用により弁内のフラップ弁がリセットされ、弁のスイッチが駆動されてリセットされ、第一ラック５ｅ、ダブルギア５ｆ、及び第二ラック５ｇが全て反対方向に動作し、上述の関連部材の反対方向への復位が実現する。汚水排水弁５ｃは汚水排水管５ｈが外部筐体５ａの外部に接続されることにより汚水の排水効果が高まる。
【００２６】
以上、本発明の実施形態について図面を参照して詳述したが、具体的な構成はこの実施形態に限られるものではなく、本発明の要旨を逸脱しない範囲の設計変更等も含まれる。
【符号の説明】
【００２７】
１  ハンドル段部材
２  上段ロッド部材
３  下段ロッド部材
４  モップヘッド部材
５  クリーナースタンド部材
４ａ  モップヘッドケース
４ｂ  クリーンローラー
４ｃ  モーター
４ｄ  ローラー連接機構
５ａ  外部筐体
５ａａ  洗浄槽
５ａｂ  定位型槽
５ｂ  排水用スクレーパー
５ｃ  汚水排水弁
５ｄ  キー
５ｅ  第一ラック
５ｆ  ダブルギア
５ｇ  第二ラック
５ｈ  汚水排水管
【図１】
0006963320.tif 000002
【図２】
0006963320.tif 000003
【図３】
0006963320.tif 000004
【図４】
0006963320.tif 000005
【図５】
0006963320.tif 000006
【図６】
0006963320.tif 000007
【図７】
0006963320.tif 000008
【図８】
0006963320.tif 000009
【図９】
0006963320.tif 000010